(57)【特許請求の範囲】
【請求項１】
把持部を有する本体部と、
前記本体部に回転可能に取り付けられるブラシ部と、
を備え、
前記ブラシ部は、第１のブラシと、前記第１のブラシよりも太さが太い第２のブラシと、を備え、
前記ブラシ部の回転中心側に配置される前記第２のブラシの本数が、前記ブラシ部の外周側に配置される前記第２のブラシの本数よりも多いことを特徴とする美容装置。
【請求項２】
前記第２のブラシは、前記ブラシ部の回転中心を中心とする同心円上に配置されており、
径方向で隣り合う同心円上に配置される前記第２のブラシの本数を比較すると、前記ブラシ部の回転中心側の同心円上に配置される前記第２のブラシの本数が、外側の同心円上に配置される前記第２のブラシの本数以上となっていることを特徴とする請求項１に記載の美容装置。
【請求項３】
前記第２のブラシは、前記第１のブラシよりも硬さが硬いことを特徴とする請求項１または請求項２に記載の美容装置。
【請求項４】
前記第１のブラシは、複数本のブリッスルを束ねた毛束を有することを特徴とする請求項１〜３のうちいずれか１項に記載の美容装置。
【請求項５】
前記第２のブラシは、シリコンで形成されていることを特徴とする請求項１〜４のうちいずれか１項に記載の美容装置。
【請求項６】
前記第１のブラシの先端が前記第２のブラシの先端よりも突出していることを特徴とする請求項１〜５のうちいずれか１項に記載の美容装置。
【請求項７】
前記ブラシ部は、回転中心軸方向から視た状態で、前記第１のブラシが配置される領域と、前記第２のブラシが配置される領域とに区画されていることを特徴とする請求項１〜６のうちいずれか１項に記載の美容装置。
【請求項８】
前記第２のブラシが配置される領域が周方向に複数形成されていることを特徴とする請求項７に記載の美容装置。
【請求項９】
前記第２のブラシが配置される領域の面積が、前記第１のブラシが配置される領域の面積の半分以下であることを特徴とする請求項７または請求項８に記載の美容装置。
【請求項１０】
前記ブラシ部には、洗浄剤の通過が可能な穴が形成されていることを特徴とする請求項１〜９のうちいずれか１項に記載の美容装置。
【発明の詳細な説明】
【技術分野】
【０００１】
本発明は、美容装置に関する。
【背景技術】
【０００２】
従来、美容装置として、本体部と、本体部の一端に回転可能に取り付けられるブラシ部とを備え、当該ブラシ部に複数種類のブラシを形成したものが知られている（例えば、特許文献１参照）。
【先行技術文献】
【特許文献】
【０００３】
【特許文献１】特表２０１５−５２４７２８号公報
【発明の概要】
【発明が解決しようとする課題】
【０００４】
しかしながら、上記従来の技術では、複数種類のブラシのそれぞれが、ブラシ部の回転中心側よりも外周側に多く配置されている。すなわち、同一種類のブラシの配置状態をみると、周速度が比較的遅い回転中心側よりも周速度が比較的速い外周側の方がブラシの配置量が多くなっている。
【０００５】
そのため、例えば、洗浄力の比較的高いブラシを上記のように配置した場合には、ブラシを肌面に当てた状態でブラシ部を回転させて肌の洗浄を行う際に、ブラシ部の回転中心側と外周側とで肌の洗浄力に差が生じてしまうおそれがある。
【０００６】
本発明は、上記従来の課題を解決するもので、肌の汚れをより均一に除去することのできる美容装置を提供することを目的とする。
【課題を解決するための手段】
【０００７】
上記目的を達成するために、本発明の美容装置は、把持部を有する本体部と、前記本体部に回転可能に取り付けられるブラシ部と、を備えている。
【０００８】
また、前記ブラシ部は、第１のブラシと、前記第１のブラシよりも太さが太い第２のブラシと、を備えている。
【０００９】
そして、前記ブラシ部の回転中心側に配置される前記第２のブラシの本数を、前記ブラシ部の外周側に配置される前記第２のブラシの本数よりも多くしている。
【００１０】
これにより、ブラシを肌面に当てた状態でブラシ部を回転させて肌の洗浄を行う際に、ブラシ部の回転中心側と外周側とで肌の洗浄力に差が生じてしまうのが抑制されて、肌の汚れをより均一に除去することができるようになる。
【発明の効果】
【００１１】
本発明によれば、肌の汚れをより均一に除去することのできる美容装置を得ることができる。
【図面の簡単な説明】
【００１２】
【図１】本発明の実施の形態にかかる美容装置を示す正面図である。
【図２】本発明の実施の形態にかかる美容装置を示す側面図である。
【図３】本発明の実施の形態にかかる美容装置を示す断面図である。
【図４】本発明の実施の形態にかかる美容装置の駆動源および駆動機構を示す分解斜視図である。
【図５】本発明の実施の形態にかかる美容装置を示す図であって、美容装置の蓋が開いた状態を拡大して示す背面図である。
【図６】本発明の実施の形態にかかる美容装置の駆動機構の一部を示す平面図である。
【図７】本発明の実施の形態にかかる美容装置の駆動機構を示す平面図である。
【図８】本発明の実施の形態にかかる美容装置のヘッド部を回転軸方向から視た図である。
【図９】本発明の実施の形態にかかる美容装置のヘッド部を示す斜視図である。
【図１０】本発明の実施の形態にかかる美容装置のヘッド部を示す断面図である。
【図１１】本発明の実施の形態にかかる美容装置を美容装置セットの一部として用いた場合における他のヘッド部を回転軸方向から視た図である。
【図１２】本発明の実施の形態にかかる美容装置を美容装置セットの一部として用いた場合における他のヘッド部の斜視図である。
【図１３】本発明の実施の形態にかかる美容装置を美容装置セットの一部として用いた場合における他のヘッド部の断面図である。
【発明を実施するための形態】
【００１３】
本発明の実施の形態にかかる美容装置は、把持部を有する本体部と、前記本体部に回転可能に取り付けられるブラシ部と、を備えている。
【００１４】
また、前記ブラシ部は、第１のブラシと、前記第１のブラシよりも太さが太い第２のブラシと、を備えている。
【００１５】
そして、前記ブラシ部の回転中心側に配置される前記第２のブラシの本数を、前記ブラシ部の外周側に配置される前記第２のブラシの本数よりも多くしている。
【００１６】
これにより、ブラシを肌面に当てた状態でブラシ部を回転させて肌の洗浄を行う際に、ブラシ部の回転中心側と外周側とで肌の洗浄力に差が生じてしまうのが抑制されて、肌の汚れをより均一に除去することができるようになる。
【００１７】
また、太さが太い第２のブラシを肌面に回転させながら当てることによって、通常のブラシでは落ちにくい古い角質を除去することができる上、太さが細いブラシで肌表面の汚れも除去することができるようになる。このとき、周速度の遅い回転中心近傍でもより効率よく古い角質を除去することができるようになるため、肌の汚れをより均一に除去することができるようになる。
【００１８】
また、前記第２のブラシは、前記ブラシ部の回転中心を中心とする同心円上に配置されている。
【００１９】
そして、径方向で隣り合う同心円上に配置される前記第２のブラシの本数を比較すると、前記ブラシ部の回転中心側の同心円上に配置される前記第２のブラシの本数が、外側の同心円上に配置される前記第２のブラシの本数以上となっている。
【００２０】
これにより、ブラシ部の回転中心側と外周側とで生じる肌の洗浄力の差をより小さくすることができ、肌の汚れをより均一に除去することができるようになる。
【００２１】
また、前記第２のブラシは、前記第１のブラシよりも硬さが硬いものである。
【００２２】
これにより、通常のブラシでは落ちにくい古い角質をより確実に除去することができるようになる。
【００２３】
また、前記第１のブラシは、複数本のブリッスルを束ねた毛束を有するものである。
【００２４】
これにより、肌表面の汚れをより確実に除去することができるようになる。
【００２５】
また、前記第２のブラシは、シリコンで形成されている。
【００２６】
このように、シリコン製の第２のブラシによって肌を擦ることで、肌に与える刺激を抑制しつつ、肌表面に付着している古い角質を除去することができるようになる。
【００２７】
また、前記第１のブラシの先端が前記第２のブラシの先端よりも突出している。
【００２８】
これにより、第２のブラシが肌に強く当たってしまうのが抑制されて、肌に与える刺激を抑制することができるようになる。
【００２９】
また、前記ブラシ部は、回転中心軸方向から視た状態で、前記第１のブラシが配置される領域と、前記第２のブラシが配置される領域とに区画されている。
【００３０】
このように、所定の領域に第２のブラシが配置されるようにすることで、第２のブラシを分散配置した場合と比較して、肌の洗浄力をより高めることができるようになる。
【００３１】
また、前記第２のブラシが配置される領域が周方向に複数形成されている。
【００３２】
これにより、ブラシを肌面に当てた状態でブラシ部を回転させて肌の洗浄を行う際に、第１のブラシと第２のブラシとで交互に洗浄することができるため、肌に与える刺激を抑制しつつ肌の洗浄力をより高めることができるようになる。
【００３３】
また、前記第２のブラシが配置される領域の面積が、前記第１のブラシが配置される領域の面積の半分以下である。
【００３４】
このように、第２のブラシが配置される領域の面積を第１のブラシが配置される領域の面積の半分以下とすることで、肌に与える刺激をより確実に抑制することができる。
【００３５】
また、前記ブラシ部には、洗浄剤の通過が可能な穴が形成されている。
【００３６】
これにより、例えば、本体部内に存在する洗浄剤を第１のブラシや第２のブラシに供給しながら肌の洗浄を行うことができるようになって、肌の洗浄力をより高めることができるようになる。
【００３７】
（実施の形態）
本実施の形態にかかる美容装置１は、主として顔の洗浄に用いられる手持ち型の美容装置であって、図１に示すように、把持部１０ａが形成された本体部１０と、本体部１０に着脱可能に取り付けられるヘッド部１００と、を備えている。
【００３８】
なお、ヘッド部１００は、洗浄される部位である対象部位（例えば、顔の肌）を、泡（洗浄剤）が供給された第１のブラシ１１１および第２のブラシ１１２で擦ることにより、対象部位の汚れの除去を促進させるものである。
【００３９】
本体部１０は、駆動源１４（図３参照）等の各種の要素を内部に収容するハウジング１１と、ハウジング１１の頂部に嵌め込まれるキャップ１２と、美容装置１を駆動させるために操作される操作部２０と、熱を出力する温熱機構３０と、を備えている。本実施の形態では、温熱機構３０はハウジング１１の底部に配置されている。なお、温熱機構３０を設けないようにすることも可能である。
【００４０】
ハウジング１１は防水構造を備えており、このハウジング１１の中央部に把持部１０ａが設けられている。本実施の形態では、ハウジング１１は、図２に示すように、ハウジング１１の頂部（ヘッド部１００が装着される側）がハウジング１１のグリップ部分（把持部１０ａ）に対して湾曲している。このように、ハウジング１１の頂部をグリップ部分に対して湾曲させることで、ユーザーがハウジング１１のグリップ部分を握った際に、ヘッド部１００を肌に当てやすくしている。
【００４１】
また、ハウジング１１の背面には、当該ハウジング１１の内部に発泡剤（洗浄剤）を注入するための注入口１８（図５参照）が形成されている。美容装置１に用いられる発泡剤としては、例えば、ジェル状の発泡剤や液状の発泡剤がある。
【００４２】
さらに、本体部１０は、注入口１８を閉じるための蓋１７を備えており、この蓋１７は、ハウジング１１に回動可能に取り付けられている。そして、蓋１７に形成された取手１７ａを引いて蓋１７を回動させることで、注入口１８が開放されるようにしている。なお、蓋１７をハウジング１１に着脱可能に設け、蓋１７をハウジング１１から取り外すことで、注入口１８が開放されるようにしてもよい。
【００４３】
操作部２０は、例えば、ボタンで構成することができる。本実施の形態では、操作部２０は、駆動源１４のオンおよびオフを切り替える第１の操作部２１と、温熱機構３０のオンおよびオフを切り替える第２の操作部２２と、を備えている。すなわち、第１の操作部２１が操作されることにより、駆動源１４をオフからオンに切り替えるための操作信号であるオン信号、または、駆動源１４をオンからオフに切り替えるための操作信号であるオフ信号が第１の操作部２１から出力されるようにしている。一方、第２の操作部２２が操作されることにより、温熱機構３０をオフからオンに切り替えるための操作信号であるオン信号、または、温熱機構３０をオンからオフに切り替えるための操作信号であるオフ信号が第２の操作部２２から出力されるようにしている。
【００４４】
また、本体部１０は、一次電池または二次電池の電力を各電気ブロックに供給する電源部１３と、電源部１３から供給される電力により駆動する駆動源１４と、駆動源１４を保持する基台１５と、複数の機械要素により構成される駆動機構４０と、を備えている。なお、これらの構成要素（電源部１３、駆動源１４、基台１５、および、駆動機構４０）は、ハウジング１１の内部に収容されている。
【００４５】
駆動源１４としては、例えば、モータを用いることができる。本実施の形態では、駆動源１４の出力軸１４ａを駆動機構４０の一部に接続させている。
【００４６】
本体部１０は、さらに、駆動源１４および温熱機構３０を制御する制御部１６を備えている。この制御部１６は、第１の操作部２１または第２の操作部２２から出力される操作信号に基づいて駆動源１４および温熱機構３０を制御するものである。本実施の形態では、制御部１６が、駆動源１４および温熱機構３０の一方が駆動している場合に駆動源１４および温熱機構３０の他方を駆動させない禁止制御を実行するようにしている。なお、禁止制御は、例えば、駆動源１４および温熱機構３０の一方が駆動している場合、駆動源１４および温熱機構３０の他方の駆動を禁止するフラグをオンに設定することで行うことができる。
【００４７】
温熱機構３０は、ハウジング１１の底部に形成される温熱面３６と、電源部１３から供給される電力により駆動するヒーター３１と、ヒーター３１を保持する基台３２と、ヒーター３１の熱を温熱面３６に伝達する伝熱板３３と、を備えている。さらに、温熱機構３０は、ヒーター３１の温度を制御するサーミスタ３４と、ヒーター３１に力を付与することによりヒーター３１を伝熱板３３に押し付けるばね３５と、を備えている。
【００４８】
駆動機構４０は、図４に示すように、泡（洗浄剤）を生成してヘッド部１００（図１参照）に供給する泡生成機構８０と、駆動源１４の駆動力を泡生成機構８０に伝達する第１の伝達ブロック５０と、駆動源１４の駆動力をヘッド部１００に伝達する第２の伝達ブロック９０と、を備えている。
【００４９】
泡生成機構８０は、発泡剤、水、および、空気を攪拌することにより泡を生成する第１のローター８１および第２のローター８２と、発泡剤および水を貯留可能な空間８３ａを有する容器８３と、を備えている。本実施の形態では、第１のローター８１および第２のローター８２は容器８３の空間８３ａに配置されており、互いに反対方向に回転するようになっている。なお、容器８３の空間８３ａは、図５に示すように、本体部１０の注入口１８と連通している。
【００５０】
第１の伝達ブロック５０は、図４に示すように、複数のギアの集合体であるギア群６０と、ギア群６０を支持する軸の集合体である支持軸群７０と、ギア群６０を収容するギアケース５１と、液体等がギアケース５１内に流れ込むことを妨げる２つのパッキン５２と、を備えている。なお、本実施の形態では、ギアケース５１は基台１５と結合されている。
【００５１】
また、ギア群６０は、回転駆動ギア６１と、複合ギア６２と、回転変更ギア６３と、第１の回転伝達ギア６４と、第２の回転伝達ギア６５と、を含んでいる。さらに、複合ギア６２は、直径が異なる２つのギア、すなわち、第１の複合ギア６２ａおよび第２の複合ギア６２ｂを含んでいる。
【００５２】
また、支持軸群７０は、複合ギア６２と結合する第１の支持軸７１と、回転変更ギア６３と結合する第２の支持軸７２と、第１の回転伝達ギア６４と結合する第３の支持軸７３と、第２の回転伝達ギア６５と結合する第４の支持軸７４と、を含んでいる。
【００５３】
そして、一方のパッキン５２が、第３の支持軸７３が通過するギアケース５１の穴に取り付けられ、他方のパッキン５２が、第４の支持軸７４が通過するギアケース５１の穴に取り付けられている。このように、パッキン５２をギアケース５１の穴に取り付けることで、容器８３からギアケース５１に液体等が流れ込むことを抑制できるようにしている。
【００５４】
ここで、本実施の形態では、駆動源１４の出力軸１４ａが回転駆動ギア６１を支持しており、出力軸１４ａおよび回転駆動ギア６１が一体的に回転するようになっている。また、回転駆動ギア６１が第１の複合ギア６２ａと噛み合わせられており、第１の複合ギア６２ａが第１の回転伝達ギア６４と噛み合わせられている。そのため、第１の回転伝達ギア６４および第３の支持軸７３が一体的に回転するようになっている。そして、第３の支持軸７３が第１のローター８１を支持しており、第３の支持軸７３および第１のローター８１が一体的に回転するようになっている。
【００５５】
したがって、出力軸１４ａが回転した際には、出力軸１４ａの回転が、回転駆動ギア６１、第１の複合ギア６２ａ、第１の回転伝達ギア６４、および、第１のローター８１の順に伝達されるようになっている。このとき、出力軸１４ａの回転を、各ギア６１、６２ａ、６４によって減速させながら第１のローター８１に伝達させている。
【００５６】
また、回転駆動ギア６１と噛み合わせられた第１の複合ギア６２ａと第２の複合ギア６２ｂとが一体的に回転するようになっている。そして、第２の複合ギア６２ｂが回転変更ギア６３と噛み合わせられており、回転変更ギア６３が第２の回転伝達ギア６５と噛み合わせられている。そのため、第２の回転伝達ギア６５および第４の支持軸７４が一体的に回転するようになっている。また、第４の支持軸７４が第２のローター８２を支持しており、第４の支持軸７４および第２のローター８２が一体的に回転するようになっている。
【００５７】
したがって、出力軸１４ａが回転した際には、出力軸１４ａの回転が、回転駆動ギア６１、第１の複合ギア６２ａ、第２の複合ギア６２ｂ、回転変更ギア６３、第２の回転伝達ギア６５、および、第２のローター８２の順に伝達されるようになっている。このとき、出力軸１４ａの回転を、各ギア６１、６２ａ、６２ｂ、６３、６５によって減速させながら第２のローター８２に伝達させている。
【００５８】
そして、第１のローター８１は、第３の支持軸７３と結合される基部８１ａと、基部８１ａから概ね放射状に伸びる複数のアーム８１ｂと、各アーム８１ｂの先端部分から上方に突出する柱８１ｃと、を備えている。本実施の形態では、複数のアーム８１ｂの付根が基部８１ａの周方向において等間隔に形成されるようにしている。なお、アーム８１ｂおよび柱８１ｃは、発泡剤等の攪拌を促進することに寄与するものである。
【００５９】
一方、第２のローター８２は、第４の支持軸７４と結合される基部８２ａと、基部８２ａから概ね放射状に伸びる複数のアーム８２ｂと、各アーム８２ｂの先端部分から上方に突出する柱８２ｃと、基部８２ａと結合される回転伝達ギア８２ｄと、を備えている。本実施の形態では、複数のアーム８２ｂの付根が基部８２ａの周方向において等間隔に形成されるようにしている。また、アーム８１ｂおよび柱８１ｃと同様に、アーム８２ｂおよび柱８２ｃは、発泡剤等の攪拌を促進することに寄与するものである。
【００６０】
このように、本実施の形態では、ギア群６０によって、出力軸１４ａの回転を第１のローター８１に伝達させる第１の動力伝達経路と、出力軸１４ａの回転を第２のローター８２に伝達させる第２の動力伝達経路の２つの動力伝達経路が形成されている。
【００６１】
さらに、本実施の形態では、回転伝達ギア８２ｄが第２の伝達ブロック９０の一部に噛み合わせられている。
【００６２】
第２の伝達ブロック９０は、ヘッド部１００の後述するブラシ部１１０にトルクを伝達することが可能な第１の伝達機構であるカムギア９１と、ブラシ部１１０にトルクを伝達することが可能な第２の伝達機構であるリングギア９３と、を備えている。
【００６３】
この第２の伝達ブロック９０は、リングギア９３と噛み合う複数のプラネタリギア９２と、ヘッド部１００のヘッドケース１２０が着脱可能に取り付けられるヘッド装着部９４と、カムギア９１を支持する軸受９４ｂと、をさらに備えている。
【００６４】
ヘッド装着部９４は、ヘッド部１００の後述するヘッドケース１２０に形成された凹部（図示せず）に嵌め合わせられる複数の凸部９４ａを備えており、ヘッド装着部９４の内側には、各ギア９１、９２、９３等を収容する空間である収容空間９４ｃが形成されている。そして、軸受９４ｂは、収容空間９４ｃに配置された状態でヘッド装着部９４に固定されている。また、カムギア９１は、軸受９４ｂに対する回転が可能な状態で軸受９４ｂに支持されている。なお、カムギア９１および軸受９４ｂは中空状の要素であり、これらの要素の内部に形成される空間は、容器８３の空間８３ａと連通している。
【００６５】
さらに、第２の伝達ブロック９０は、各ギアを覆うギアカバー９５と、ギアカバー９５の穴（図示せず）に挿入されるピン９６と、ギアカバー９５の上面に配置されるリング９７と、を備えている。ギアカバー９５およびリング９７は、ねじ９８によりヘッド装着部９４に固定されている。なお、リング９７は、例えば液体等がギアカバー９５内に流れ込むことを抑制する機能、および、ピン９６がカムギア９１の径方向に抜けることを抑制する機能を有するものである。また、図７に示すように、リング９７には、ギアカバー９５を貫通して空間８３ａと連通する穴９７ａが形成されている。
【００６６】
カムギア９１は、回転伝達ギア８２ｄと噛み合うギア部９１ａと、ギア部９１ａの回転をヘッド装着部９４に対する上下方向の運動に変換するカム部９１ｂと、ギア部９１ａの回転をヘッド部１００のブラシ部１１０に伝達することが可能な複数のフック９１ｄと、を備えている。さらに、カム部９１ｂの外周には、螺旋状の溝９１ｃが形成されている。
【００６７】
そして、図６に示すように、回転伝達ギア８２ｄがカムギア９１のギア部９１ａおよび１つのプラネタリギア９２と噛み合わせられている。本実施の形態では、各プラネタリギア９２は、カムギア９１の周りにおいて等間隔に配置されており、リングギア９３と噛み合わせられている。
【００６８】
リングギア９３は、ヘッド装着部９４の収容空間９４ｃに配置されており、ヘッド装着部９４に対する回転が可能な状態でヘッド装着部９４に支持されている。そして、図４に示すように、リングギア９３には、リングギア９３の回転をヘッド部１００のブラシ部１１０に伝達することが可能な複数のフック９３ａが形成されている。なお、本実施の形態では、リングギア９３の回転速度がカムギア９１の回転速度よりも低くなるようにしている。そのため、リングギア９３によりヘッド部１００を動作（回転）させる速度は、カムギア９１によりヘッド部１００を動作（回転）させる速度よりも遅くなっている。
【００６９】
ギアカバー９５は、ヘッド装着部９４に取り付けられることによってヘッド装着部９４の開口を閉じるものであり、このギアカバー９５をヘッド装着部９４に取り付けることで、カムギア９１、プラネタリギア９２、および、リングギア９３がギアカバー９５により覆われるようにしている。
【００７０】
また、ピン９６は、ギアカバー９５に形成される穴にギアカバー９５の外周側から挿入されており、ピン９６の先端部がカムギア９１の溝９１ｃに挿入されるようになっている。このように、ピン９６の先端部をカムギア９１の溝９１ｃに挿入させることで、カムギア９１の回転時にピン９６の先端部が溝９１ｃ内を摺動するようにしている。そして、ピン９６の先端部を溝９１ｃ内で摺動させることで、カムギア９１に当該カムギア９１を軸方向に移動させる力が加えられて、カムギア９１がヘッド装着部９４に対して軸方向（図４の上下方向）に移動する（往復動する）ようにしている。このように、本実施の形態１では、カムギア９１が、ヘッド部１００に向かう軸方向である第１の軸方向、および、第１の軸方向と反対方向である第２の軸方向に移動するようにしている。
【００７１】
そして、ヘッド部１００を本体部１０に装着する際に、第１の伝達機構であるカムギア９１によってブラシ部１１０にトルクを伝達させるようにすれば、ブラシ部１１０が、回転中心Ｃを中心として回転しつつ、回転軸方向（図４の上下方向）に移動することとなる。
【００７２】
一方、ヘッド部１００を本体部１０に装着する際に、第２の伝達機構であるリングギア９３によってブラシ部１１０にトルクを伝達させるようにすれば、ブラシ部１１０が、回転中心Ｃを中心として回転することとなる。
【００７３】
次に、ヘッド部１００の構成について説明する。なお、図８〜図１０では、第２の伝達機構であるリングギア９３によってブラシ部１１０にトルクを伝達させるようにしたヘッド部１００を例示している。
【００７４】
ヘッド部１００は、ブラシ部１１０と、泡（洗浄剤）が通過する開口１２１が形成され、ブラシ部１１０の周囲を囲うように配置される略筒状のヘッドケース１２０と、を備えている。
【００７５】
そして、本実施の形態では、ブラシ部１１０は、ヘッドケース１２０に、当該ヘッドケース１２０に対する回転および移動の動作が可能な状態で支持されている。
【００７６】
具体的には、ヘッドケース１２０の内周面には、図１０に示すように、溝１２２が形成されており、この溝１２２内にブラシ部１１０の嵌合部１１６ａを収容させることで、ブラシ部１１０が、ヘッドケース１２０に対する回転および移動（回転軸方向への往復動）の動作が可能な状態でヘッドケース１２０に支持されるようにしている。
【００７７】
また、ヘッドケース１２０の内周面には、ヘッド装着部９４の複数の凸部９４ａに嵌め合わせられる複数の凹部（図示せず）が形成されており、この凹部（図示せず）を凸部９４ａに嵌め合わせることで、ヘッドケース１２０がヘッド装着部９４に装着されるようになっている。なお、ヘッド装着部９４はハウジング１１に回転不能に固定されており、ヘッドケース１２０はヘッド装着部９４に回転不能に装着されている。したがって、ヘッド部１００を本体部１０に装着させた際には、ヘッドケース１２０が本体部１０に回転不能に取り付けられることとなる。
【００７８】
また、溝１２２内には、ブラシ部１１０がヘッドケース１２０から突出しすぎてしまうのを規制する第１の規制部１２２ａと、ブラシ部１１０がヘッドケース１２０から外れてしまうのを規制する複数の第２の規制部１２２ｂと、が形成されている。本実施の形態では、複数の第２の規制部１２２ｂは、第１の規制部１２２ａと対向する位置に形成されている。この複数の第２の規制部１２２ｂは、例えば、ヘッドケース１２０の内周面に等間隔に配置させることができる。
【００７９】
このように、溝１２２内に第１の規制部１２２ａおよび第２の規制部１２２ｂを形成することで、ブラシ部１１０をヘッドケース１２０に、所定の範囲で回転軸方向に往復動できるように支持させることができる。
【００８０】
さらに、ヘッド部１００は、嵌合部１１６ａと第１の規制部１２２ａとの間に配置され、開口１２１から離間する方向にブラシ部１１０を付勢する弾性部材１３０を備えている。この弾性部材１３０としては、例えば、コイル状のばねを用いることができる。なお、弾性部材１３０を設けないようにすることも可能である。
【００８１】
ブラシ部１１０は、ヘッド部１００を本体部１０に装着した際に駆動源１４の駆動力により駆動する（少なくとも本体部１０に対して相対回転する）ものであり、第１のブラシ１１１と、第１のブラシ１１１よりも太さが太い第２のブラシ１１２と、を備えている。
【００８２】
また、ブラシ部１１０は、泡（洗浄剤）が通過する放出穴（穴）１１４が形成された基盤１１３を備えており、この基盤１１３における放出口１１４ａ側の面である表面に、第１のブラシ１１１および第２のブラシ１１２が形成されている。放出穴１１４は、例えば、基盤１１３の中心部に形成することができる。このように、放出穴１１４を基盤１１３の中心部に形成すれば、基盤１１３の中心部に形成される放出穴１１４から基盤１１３の表面側に泡が供給されるため、基盤１１３の表面側の各部分に均等に泡が供給されやすくなる。
【００８３】
さらに、本実施の形態では、基盤１１３が、第１のブラシ基台１１６と第２のブラシ基台１１７とに分割されており、第２のブラシ基台１１７には、第２のブラシ１１２を貫通させるための穴１１８が形成されている。
【００８４】
第１のブラシ基台１１６の外周には、溝１２２に嵌めこまれる上述した嵌合部１１６ａが形成されている。また、第１のブラシ基台１１６には、リングギア９３の複数のフック９３ａと接触する複数のフック１１６ｂが形成されている。
【００８５】
そして、第１のブラシ基台１１６には、図８に示すように、複数の凹部１１６ｃが形成されており、この凹部１１６ｃに第１のブラシ１１１を埋め込むことで、第１のブラシ１１１が基盤１１３に支持されるようにしている。
【００８６】
一方、第２のブラシ１１２は、基台部１１５に形成されている。そして、この基台部１１５を第１のブラシ基台１１６と第２のブラシ基台１１７とで挟み込むことで、第２のブラシ１１２が基台部１１５を介して基盤１１３に支持されるようにしている。
【００８７】
かかる構成をしたヘッド部１００を本体部１０に装着した際には、ヘッドケース１２０の内周面に形成された凹部（図示せず）がヘッド装着部９４の凸部９４ａに嵌め合わされて、ヘッドケース１２０がヘッド装着部９４に装着される。そして、第１のブラシ基台１１６に形成されたフック１１６ｂがリングギア９３に形成されたフック９３ａと接触して、リングギア９３によってブラシ部１１０にトルクが伝達される。
【００８８】
このとき、ブラシ部１１０に形成された放出穴（穴）１１４が、カムギア９１等の内部の空間を介して容器８３の空間８３ａと連通することとなる。
【００８９】
したがって、ヘッド部１００を本体部１０に装着した状態で駆動源１４を駆動させると、ブラシ部１１０がヘッドケース１２０（本体部１０）に対して相対回転するとともに、泡生成機構８０により生成された泡（洗浄剤）が放出穴１１４から放出されることとなる。このように、本実施の形態では、ブラシ部１１０に、泡（洗浄剤）の通過が可能な放出穴（穴）１１４が形成されている。なお、上述したように、注入口１８も空間８３ａと連通しているため、ヘッド部１００を本体部１０に装着させると、注入口１８と放出穴１１４とが連通することとなる。
【００９０】
ここで、本実施の形態では、上述したように、ブラシ部１１０は、第１のブラシ１１１と、第１のブラシ１１１よりも太さが太い第２のブラシ１１２と、を備えている。
【００９１】
そして、第１のブラシ１１１は、柔らかい材質を用いて形成するのが好ましく、第２のブラシ１１２は、第１のブラシ１１１よりも硬い材質を用いて形成するのが好ましい。
【００９２】
そこで、本実施の形態では、複数本のブリッスルを束ねた毛束１１１ｂを形成し、この毛束１１１ｂを第１のブラシ基台１１６に形成された凹部１１６ｃに埋め込むことで、第１のブラシ１１１を形成している。
【００９３】
また、第２のブラシ１１２を、第１のブラシ１１１よりも硬い材質であるシリコンを用いて形成している。なお、本実施の形態では、１本のブリッスル（第１のブラシ１１１）と１本のシリコン製の第２のブラシ１１２とを用い、第１のブラシ１１１と第２のブラシとの太さを比較している。また、図８には、第２のブラシ１１２よりも太さが太い毛束１１１ｂが凹部１１６ｃに埋め込まれたものを例示しているが、毛束１１ｂの太さは、第２のブラシ１１２よりも細くすることも可能である。
【００９４】
さらに、本実施の形態では、ブラシ部１１０の回転中心Ｃ側に配置される第２のブラシ１１２の本数が、ブラシ部１１０の外周１１０ａ側に配置される第２のブラシ１１２の本数よりも多くなるようにしている。
【００９５】
具体的には、第２のブラシ１１２が、ブラシ部１１０の回転中心Ｃを中心とする複数の同心円上に配置されるようにしている。
【００９６】
そして、径方向で隣り合う２つの同心円上に配置される第２のブラシ１１２の本数を比較した際に、ブラシ部１１０の回転中心Ｃ側の同心円上に配置される第２のブラシ１１２の本数が、外側の同心円上に配置される第２のブラシ１１２の本数以上となるようにしている。
【００９７】
また、ブラシ部１１０におけるブラシ（第１のブラシ１１１および第２のブラシ１１２）が配置される領域を、回転中心軸方向から視た状態（ブラシ部１１０の平面視）で、第１のブラシ１１１が配置される領域Ｒ１と、第２のブラシ１１２が配置される領域Ｒ２とに区画されるようにしている。
【００９８】
具体的には、図８に示すように、ブラシ部１１０におけるブラシ（第１のブラシ１１１および第２のブラシ１１２）が配置される領域には、４つの第１のブラシ１１１が配置される領域Ｒ１と、４つの第２のブラシ１１２が配置される領域Ｒ２とが形成されるようにしている。
【００９９】
そして、第１のブラシ１１１が配置される領域Ｒ１と、４つの第２のブラシ１１２が配置される領域Ｒ２とが周方向に交互に存在するようにしている。
【０１００】
このように、本実施の形態では、第２のブラシ１１２が配置される領域Ｒ２が周方向に複数形成されるようにしている。
【０１０１】
また、４つの第２のブラシ１１２が配置される領域Ｒ２のそれぞれには、ブラシ部１１０の外周側から内周側に向けて１本、２本、２本、３本、４本の第２のブラシ１１２が形成されている。
【０１０２】
すなわち、それぞれの領域Ｒ２においても、径方向で隣り合う２つの同心円上に配置される第２のブラシ１１２の本数を比較した際に、ブラシ部１１０の回転中心Ｃ側の同心円上に配置される第２のブラシ１１２の本数が、外側の同心円上に配置される第２のブラシ１１２の本数以上となるようにしている。
【０１０３】
したがって、４つの第２のブラシ１１２が配置される領域Ｒ２は、略放射状に配置されることとなる。さらに、本実施の形態では、４つの第２のブラシ１１２が配置される領域Ｒ２は、略対称（回転中心Ｃに対して点対称、回転中心Ｃを通る直線に対して線対称）となるように配置されている。
【０１０４】
そして、最内側（最も回転中心Ｃに近い同心円上）においても、第１のブラシ１１１が配置される領域Ｒ１と、４つの第２のブラシ１１２が配置される領域Ｒ２とが周方向に交互に存在するようにしている。
【０１０５】
また、最外側（最も回転中心Ｃから遠い同心円上）においても、第１のブラシ１１１が配置される領域Ｒ１と、４つの第２のブラシ１１２が配置される領域Ｒ２とが周方向に交互に存在するようにしている。
【０１０６】
このように、本実施の形態では、ブラシ部１１０におけるブラシ（第１のブラシ１１１および第２のブラシ１１２）が配置される領域に、略台形状の領域Ｒ１と略三角形状の領域Ｒ２とが形成されるようにしている。
【０１０７】
このとき、第２のブラシ１１２が配置される領域Ｒ２の面積（本実施の形態では、４つのＲ２の総面積）が、第１のブラシ１１１が配置される領域Ｒ１の面積（本実施の形態では、４つのＲ１の総面積）の半分以下となるようにするのが好ましい。
【０１０８】
また、第２のブラシ１１２による洗浄力を発揮させるためには、領域Ｒ２の面積を領域Ｒ１の面積の２０パーセント以上となるようにするのが好ましい。
【０１０９】
さらに、本実施の形態では、第１のブラシ１１１の先端１１１ａを第２のブラシ１１２の先端１１２ａよりも突出させている。
【０１１０】
すなわち、ブラシ部１１０を肌に接触させる際には、第２のブラシ１１２よりも先に第１のブラシ１１１が肌に接触するようにしている。
【０１１１】
なお、第１のブラシ１１１の先端１１１ａから第２のブラシ１１２の先端１１２ａまでの距離は、例えば、３ｍｍ程度とすることができる。
【０１１２】
かかる構成をした美容装置１を用いることで、例えば、以下の方法によって肌の汚れを除去することができる。
【０１１３】
まず、ヘッド部１００を本体部１０に装着する。次に、蓋１７を開けて、注入口１８から所定の量の発泡剤を空間８３ａ内に注入する。また、注入口１８または放出穴１１４の少なくともいずれか一方から所定の量の水を空間８３ａ内に注入する。
【０１１４】
そして、蓋１７を閉めた状態で、ブラシ部１１０のブラシ（第１のブラシ１１１および第２のブラシ１１２）を肌面に当てる。
【０１１５】
かかる状態で、第１の操作部２１を操作して、駆動源１４をオフからオンに切り替える。
【０１１６】
すると、駆動源１４の駆動にともない泡生成機構８０およびブラシ部１１０に駆動力が伝達される。そして、泡生成機構８０が駆動することにより泡（洗浄剤）が生成され、その泡が放出穴１１４を通過して基盤１１３の表面側に供給される。その結果、ブラシ部１１０のブラシ（第１のブラシ１１１および第２のブラシ１１２）と肌との間に泡が存在する状態が形成される。
【０１１７】
一方、ブラシ部１１０が駆動することによりブラシ部１１０がヘッドケース１２０（本体部１０）に対して相対回転する。このとき、回転するブラシ（第１のブラシ１１１および第２のブラシ１１２）によって肌の汚れが除去される。
【０１１８】
具体的には、太さが太い第２のブラシ１１２を肌面に回転させながら当てることによって、通常のブラシでは落ちにくい古い角質が除去され、太さが細いブラシ（第１のブラシ１１１）で肌表面の汚れが除去される。
【０１１９】
また、肌に塗られた化粧等をしっかり除去することを希望する場合等には、例えば、以下の方法を用いることができる。
【０１２０】
まず、ヘッド部１００を本体部１０に装着する。次に、蓋１７を開けて、注入口１８から所定の量の発泡剤を空間８３ａ内に注入する。また、注入口１８または放出穴１１４の少なくともいずれか一方から所定の量の水を空間８３ａ内に注入する。
【０１２１】
次に、第２の操作部２２を操作して、温熱機構３０をオフからオンに切り替える。そして、ヒーター３１により温められた温熱面３６を肌に当てて、肌を温める。このように、予め肌を温めることで、肌に塗られた化粧等をより落としやすくすることができる。
【０１２２】
そして、温熱機構３０により肌を一定時間にわたって温めた後に、第２の操作部２２を操作して、温熱機構３０をオンからオフに切り替える。
【０１２３】
そして、ブラシ部１１０のブラシ（第１のブラシ１１１および第２のブラシ１１２）を肌面に当てた状態で、第１の操作部２１を操作して、駆動源１４をオフからオンに切り替え、泡生成機構８０およびブラシ部１１０を駆動させる。
【０１２４】
そして、生成された泡を基盤１１３の表面側に供給しながら、ブラシ（第１のブラシ１１１および第２のブラシ１１２）を回転させることで、肌の汚れを除去する。
【０１２５】
なお、ヘッド部１００を本体部１０に装着させた状態で、ブラシ部１１０を、回転中心Ｃを中心として回転させつつ、回転軸方向（図４の上下方向）に移動させるようにするには、第１の伝達機構であるカムギア９１によってブラシ部１１０にトルクを伝達させるようにすればよい。
【０１２６】
すなわち、ヘッド部１００を本体部１０に装着した際に、カムギア９１に形成されたフック９１ｄに接触するフックを、フック１１６ｂの替わりにブラシ部１１０に形成すればよい。
【０１２７】
こうすれば、カムギア９１の回転にともなってブラシ部１１０が回転することとなる。
【０１２８】
また、カムギア９１の第１の軸方向への移動にともなって、ブラシ部１１０が本体部１０から離れる方向である第１の軸方向に押されて移動することとなる。
【０１２９】
一方、カムギア９１が第２の軸方向に移動する場合には、ブラシ部１１０に作用する重力およびヘッド部１００に配置される弾性部材１３０の反力の少なくともいずれか一方の作用によって、ブラシ部１１０が本体部１０に近づく方向である第２の軸方向に移動することとなる。
【０１３０】
このように、ヘッド部１００を本体部１０に装着した際に、カムギア９１によってブラシ部１１０にトルクを伝達させるようにすることで、ブラシ部１１０を、ヘッドケース１２０（本体部１０）に対して相対回転させるとともに、ヘッドケース１２０（本体部１０）に対して軸方向に相対移動（往復動：振動）させることができる。この場合、ブラシ部１１０の回転および振動によって肌の汚れを除去することとなる。
【０１３１】
以上説明したように、本実施の形態にかかる美容装置１は、把持部１０ａを有する本体部１０と、本体部１０に回転可能に取り付けられるブラシ部１１０と、を備えている。
【０１３２】
また、ブラシ部１１０は、第１のブラシ１１１と、第１のブラシ１１１よりも太さが太い第２のブラシ１１２と、を備えている。
【０１３３】
そして、ブラシ部１１０の回転中心Ｃ側に配置される第２のブラシ１１２の本数を、ブラシ部１１０の外周１１０ａ側に配置される第２のブラシ１１２の本数よりも多くしている。
【０１３４】
これにより、ブラシ（第１のブラシ１１１および第２のブラシ１１２）を肌面に当てた状態でブラシ部１１０を回転させて肌の洗浄を行う際に、ブラシ部１１０の回転中心Ｃ側と外周１１０ａ側とで肌の洗浄力に差が生じてしまうのが抑制される。その結果、肌の汚れをより均一に除去することができるようになる。
【０１３５】
また、太さが太い第２のブラシ１１２を肌面に回転させながら当てることによって、通常のブラシでは落ちにくい古い角質を除去することができる上、太さが細いブラシ（第１のブラシ１１１）で肌表面の汚れも除去することができるようになる。このとき、周速度の遅い回転中心Ｃの近傍でもより効率よく古い角質を除去することができるようになるため、肌の汚れをより均一に除去することができるようになる。
【０１３６】
また、第２のブラシ１１２は、ブラシ部１１０の回転中心Ｃを中心とする同心円上に配置されている。
【０１３７】
そして、径方向で隣り合う同心円上に配置される第２のブラシ１１２の本数を比較すると、ブラシ部１１０の回転中心Ｃ側の同心円上に配置される第２のブラシ１１２の本数が、外側の同心円上に配置される第２のブラシ１１２の本数以上となっている。
【０１３８】
これにより、ブラシ部１１０の回転中心Ｃ側と外周１１０ａ側とで生じる肌の洗浄力の差をより小さくすることができ、肌の汚れをより均一に除去することができるようになる。
【０１３９】
また、第２のブラシ１１２は、第１のブラシ１１１よりも硬さが硬いものである。
【０１４０】
これにより、通常のブラシでは落ちにくい古い角質をより確実に除去することができるようになる。
【０１４１】
また、第１のブラシ１１１は、複数本のブリッスルを束ねた毛束１１１ｂを有するものである。
【０１４２】
これにより、肌表面の汚れをより確実に除去することができるようになる。
【０１４３】
また、第２のブラシ１１２は、シリコンで形成されている。
【０１４４】
このように、シリコン製の第２のブラシ１１２によって肌を擦ることで、肌に与える刺激を抑制しつつ、肌表面に付着している古い角質を除去することができるようになる。
【０１４５】
また、第１のブラシ１１１の先端１１１ａが第２のブラシ１１２の先端１１２ａよりも突出している。
【０１４６】
これにより、第２のブラシ１１２が肌に強く当たってしまうのが抑制されて、肌に与える刺激を抑制することができるようになる。
【０１４７】
また、ブラシ部１１０は、回転中心軸方向から視た状態で、第１のブラシ１１１が配置される領域Ｒ１と、第２のブラシ１１２が配置される領域Ｒ２とに区画されている。
【０１４８】
このように、所定の領域に第２のブラシ１１２が配置されるようにすることで、第２のブラシ１１２を分散配置した場合と比較して、肌の洗浄力をより高めることができるようになる。
【０１４９】
また、第２のブラシ１１２が配置される領域Ｒ２が周方向に複数形成されている。
【０１５０】
これにより、ブラシ（第１のブラシ１１１および第２のブラシ１１２）を肌面に当てた状態でブラシ部１１０を回転させて肌の洗浄を行う際に、肌の所定の部位を第１のブラシ１１１と第２のブラシ１１２とで交互に洗浄することができるため、肌に与える刺激を抑制しつつ肌の洗浄力をより高めることができるようになる。
【０１５１】
また、第２のブラシ１１２が配置される領域Ｒ２の面積が、第１のブラシ１１１が配置される領域Ｒ１の面積の半分以下となるようにしている。
【０１５２】
このように、第２のブラシ１１２が配置される領域Ｒ２の面積を第１のブラシ１１１が配置される領域Ｒ１の面積の半分以下とすることで、肌に与える刺激をより確実に抑制することができる。
【０１５３】
また、ブラシ部１１０には、泡（洗浄剤）の通過が可能な放出穴（穴）１１４が形成されている。
【０１５４】
これにより、例えば、本体部１０内に存在する泡（洗浄剤）を第１のブラシ１１１や第２のブラシ１１２に供給しながら肌の洗浄を行うことができるようになって、肌の洗浄力をより高めることができるようになる。
【０１５５】
なお、本実施の形態では、泡生成機構８０およびブラシ部１１０の両方が、駆動源１４によって駆動されている。そのため、泡生成機構８０およびブラシ部１１０を駆動する駆動源が個々に存在する場合と比較して、美容装置１の小型化を図ることが可能となる上、美容装置１の製造コストを削減することができるようになる。
【０１５６】
また、本実施の形態では、駆動源１４が駆動している場合には温熱機構３０を駆動させないようにしている。こうすれば、泡生成機構８０およびブラシ部１１０が肌の洗浄に使用され、温熱機構３０が使用されていない場合に、温熱機構３０に電力が供給されないよういすることができ、省電力化を図ることができる。
【０１５７】
また、本実施の形態では、温熱機構３０が駆動している場合には駆動源１４を駆動させないようにしている。こうすれば、温熱機構３０が肌を温めるために使用され、泡生成機構８０およびブラシ部１１０が使用されていない場合に、駆動源１４に電力が供給されないようにすることができ、省電力化を図ることができる。また、肌に向けられていないブラシ部１１０から泡が吐出されてしまうのを抑制することができる。
【０１５８】
以上、本発明の好適な実施形態について説明したが、本発明は上記実施の形態には限定されず、種々の変形が可能である。
【０１５９】
例えば、制御部１６による制御は、上記実施の形態で示したものに限られるものではなく、制御部１６によって様々な制御が行われるようにすることができる。
【０１６０】
また、駆動源１４をヘッド部１００に搭載させるようにすることも可能である。
【０１６１】
また、上記実施の形態では、駆動源１４の駆動力が第１の伝達ブロック５０を介して泡生成機構８０に伝達され、さらに第２の伝達ブロック９０に伝達されるようにしている。すなわち、ヘッド部１００が本体部１０に装着されることにより、駆動源１４の駆動力により泡生成機構８０およびヘッド部１００の両方が駆動するようにしている。しかしながら、泡生成機構８０を駆動させる駆動源とブラシ部１１０を駆動させる駆動源を別個独立に設けるようにすることも可能である。このとき、各駆動源を本体部１０内に搭載させることもできるし、少なくともいずれか一方の駆動源をヘッド部１００に搭載させることもできる。
【０１６２】
また、本体部１０に注入口１８を形成しないようにすることもできる。この場合、例えば、放出穴１１４から発泡剤を空間８３ａ内に注入させることができる。また、本体部１０に注入口１８を形成しないようにすれば、蓋１７を省略することもできる。
【０１６３】
また、本体部１０とヘッド部１００とが一体に形成されるようにすることも可能である。すなわち、ヘッド部１００をヘッド装着部９４から取り外すことができない構成とすることも可能である。このとき、第１の伝達機構および第２の伝達機構のいずれか一方が省略された構成とすることもできる。
【０１６４】
また、ハウジング１１の正面または背面に温熱面３６が形成されるようにすることも可能である。
【０１６５】
また、泡生成機構８０を設けない美容装置とすることも可能である。この場合、泡（洗浄剤）を供給せずに美容装置によって肌の汚れを除去することもできるし、ユーザー自身または別の手段により肌に泡（洗浄剤）を供給した後に、美容装置によって肌の汚れを除去することもできる。
【０１６６】
また、本体部やブラシ部、その他細部のスペック（形状、大きさ、レイアウト等）も適宜に変更可能である。
【０１６７】
また、上記実施の形態で示した美容装置１や上記変形例で示した美容装置を、美容装置セットの一部として用いることもできる。
【０１６８】
例えば、本体部１０と、ヘッド部１００と、図１１〜図１３に示す第２のヘッド部２００と、を備える美容装置セットとし、用途に応じてヘッド部１００または第２のヘッド部２００を本体部１０に装着させて使用できるようにすることも可能である。
【０１６９】
図１１〜図１３に示す第２のヘッド部２００は、泡（洗浄液）が供給されたブラシ２１１で対象部位（例えば、顔の肌）を擦ることによって対象部位の汚れの除去を促進させるものである。
【０１７０】
この第２のヘッド部２００は、ブラシ部２１０と、泡（洗浄剤）が通過する開口２２１が形成され、ブラシ部２１０の周囲を囲うように配置される略筒状のヘッドケース２２０と、を備えている。
【０１７１】
そして、ブラシ部２１０は、ヘッドケース２２０に、当該ヘッドケース２２０に対する回転および移動の動作が可能な状態で支持されている。
【０１７２】
具体的には、ヘッドケース２２０の内周面には、図１３に示すように、溝２２２が形成されており、この溝２２２内にブラシ部２１０の嵌合部２１３ａを収容させることで、ブラシ部２１０が、ヘッドケース２２０に対する回転および移動（回転軸方向への往復動）の動作が可能な状態でヘッドケース２２０に支持されるようにしている。
【０１７３】
また、ヘッドケース２２０の内周面には、ヘッド装着部９４の複数の凸部９４ａに嵌め合わせられる複数の凹部（図示せず）が形成されており、この凹部（図示せず）を凸部９４ａに嵌め合わせることで、ヘッドケース２２０がヘッド装着部９４に装着されるようになっている。なお、ヘッド装着部９４はハウジング１１に回転不能に固定されており、ヘッドケース２２０はヘッド装着部９４に回転不能に装着されている。したがって、第２のヘッド部２００を本体部１０に装着させた際には、ヘッドケース２２０が本体部１０に回転不能に取り付けられることとなる。
【０１７４】
また、溝２２２内には、ブラシ部２１０がヘッドケース２２０から突出しすぎてしまうのを規制する第１の規制部２２２ａと、ブラシ部２１０がヘッドケース２２０から外れてしまうのを規制する複数の第２の規制部２２２ｂと、が形成されている。複数の第２の規制部２２２ｂは、第１の規制部２２２ａと対向する位置に形成されている。この複数の第２の規制部２２２ｂは、例えば、ヘッドケース２２０の内周面に等間隔に配置させることができる。
【０１７５】
このように、溝２２２内に第１の規制部２２２ａおよび第２の規制部２２２ｂを形成することで、ブラシ部２１０をヘッドケース２２０に、所定の範囲で回転軸方向に往復動できるように支持させることができる。
【０１７６】
さらに、第２のヘッド部２００は、嵌合部２１３ａと第１の規制部２２２ａとの間に配置され、開口２２１から離間する方向にブラシ部２１０を付勢する弾性部材２３０を備えている。この弾性部材２３０としては、例えば、コイル状のばねを用いることができる。なお、弾性部材２３０を設けないようにすることも可能である。
【０１７７】
ブラシ部２１０は、第２のヘッド部２００を本体部１０に装着した際に駆動源１４の駆動力により駆動する（少なくとも本体部１０に対して相対回転する）ものであり、同一種類のブラシ２１１が基盤２１３に設けられている。
【０１７８】
また、基盤２１３の中央には、泡（洗浄剤）が通過する放出穴（穴）２１４が形成されており、この基盤２１３における放出口２１４ａ側の面である表面に、ブラシ２１１が形成されている。
【０１７９】
また、基盤２１３の外周には、溝２２２に嵌めこまれる嵌合部２１３ａが形成されており、基盤２１３には、リングギア９３の複数のフック９３ａと接触する複数のフック２１３ｂが形成されている。
【０１８０】
そして、基盤２１３には、図１１に示すように、複数の凹部２１３ｃが形成されており、この凹部２１３ｃにブラシ２１１を埋め込むことで、ブラシ２１１が基盤２１３に支持されるようにしている。
【０１８１】
なお、ブラシ２１１は、柔らかい材質を用いて形成するのが好ましい。そのため、第２のヘッド部２００では、複数本のブリッスルを束ねた毛束２１１ｂを形成し、この毛束２１１ｂを基盤２１３に形成された凹部２１３ｃに埋め込むことで、ブラシ２１１を形成している。
【０１８２】
かかる構成をした第２のヘッド部２００を本体部１０に装着した際には、ヘッドケース２２０の内周面に形成された凹部（図示せず）がヘッド装着部９４の凸部９４ａに嵌め合わされて、ヘッドケース２２０がヘッド装着部９４に装着される。そして、基盤２１３に形成されたフック２１３ｂがリングギア９３に形成されたフック９３ａと接触して、リングギア９３によってブラシ部２１０にトルクが伝達される。
【０１８３】
このとき、ブラシ部２１０に形成された放出穴（穴）２１４が、カムギア９１等の内部の空間を介して容器８３の空間８３ａと連通することとなる。
【０１８４】
したがって、第２のヘッド部２００を本体部１０に装着した状態で駆動源１４を駆動させると、ブラシ部２１０がヘッドケース２２０（本体部１０）に対して相対回転するとともに、泡生成機構８０により生成された泡（洗浄剤）が放出穴２１４から放出されることとなる。
【０１８５】
この第２のヘッド部２００も、本体部１０に装着させた状態で、ブラシ部２１０を、回転中心Ｃを中心として回転させつつ、回転軸方向（図４の上下方向）に移動させる構成とすることが可能である。
【０１８６】
なお、美容装置セットが備えるヘッド部は、第２のヘッド部２００に限られるものではなく、第２のヘッド部２００に替えて他のヘッド部を備えるようにすることも可能であるし、第２のヘッド部２００に加えて他のヘッド部も備えるようにすることも可能である。
【０１８７】
他のヘッド部としては、例えば、泡を攪拌する攪拌機構をヘッドケースに支持したヘッド部がある。
【産業上の利用可能性】
【０１８８】
以上のように、本発明にかかる美容装置は、肌の汚れのより均一な除去が可能となるので、例えば、家庭用の美容装置だけでなく業務用の美容装置等、各種の美容装置に適用することができる。
【符号の説明】
【０１８９】
１  美容装置
１０  本体部
１０ａ  把持部
１１０  ブラシ部
１１１  第１のブラシ
１１１ａ  先端
１１１ｂ  毛束
１１２  第２のブラシ
１１２ａ  先端
１１４  放出穴（穴）
Ｃ  回転中心
Ｒ１  第１のブラシが配置される領域
Ｒ２  第２のブラシが配置される領域
【図１】
0006402859.tif 000002
【図２】
0006402859.tif 000003
【図３】
0006402859.tif 000004
【図４】
0006402859.tif 000005
【図５】
0006402859.tif 000006
【図６】
0006402859.tif 000007
【図７】
0006402859.tif 000008
【図８】
0006402859.tif 000009
【図９】
0006402859.tif 000010
【図１０】
0006402859.tif 000011
【図１１】
0006402859.tif 000012
【図１２】
0006402859.tif 000013
【図１３】
0006402859.tif 000014